Podtech/llm-jp-corpus-v4-ja_patent huggingface dataset:
【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
創傷部位に吸引を提供する装置であって、
近位端と、細長い中間部分と、遠位端とを備えるスペーサ層と、
前記スペーサ層の上に設けられた、液体不透過性材料から構築された頂部層と、
前記スペーサ層の下に設けられた、液体不透過性材料から構築された底部層であって、前記頂部層および前記底部層が前記スペーサ層を実質的に囲む、底部層と、
前記底部層内で前記スペーサ層の前記遠位端の下方の1つまたは複数の開口と、
前記スペーサ層の前記遠位端の下で前記1つまたは複数の開口に隣接して位置付けられたフィルタと、
前記スペーサ層の前記近位端と流体連通する導管と
を備える装置。
【請求項２】
前記スペーサ層の前記遠位端が前記細長い中間部分の幅および前記近位端の幅に対して拡張される、請求項1に記載の装置。
【請求項３】
前記フィルタが前記スペーサ層の前記遠位端と前記底部層との間に位置付けられる、請求項1または2に記載の装置。
【請求項４】
前記フィルタが前記底部層の下にある、請求項1または2に記載の装置。
【請求項５】
前記スペーサ層が、3D編み物材料または3D布地材料、発泡体、多孔性材料、および不織布材料のうちの1つを含む、請求項1から4のいずれか一項に記載の装置。
【請求項６】
前記スペーサ層の前記近位端が折りたたまれる、請求項1から5のいずれか一項に記載の装置。
【請求項７】
前記導管が前記スペーサ層内の開口部内へと延在する、請求項1から6のいずれか一項に記載の装置。
【請求項８】
前記開口部が、細長いスロットを備える、請求項7に記載の装置。
【請求項９】
前記開口部が、前記スペーサ層の前記近位端まで延在するチャネルを備える、請求項7に記載の装置。
【請求項１０】
前記導管が前記スペーサ層の前記近位端から近位へ延在して前記導管の一部分が前記頂部層と前記底部層の間に延在する、請求項1から9のいずれか一項に記載の装置。
【請求項１１】
前記導管が、前記頂部層および前記底部層への接続を容易にするために1つまたは複数の周方向リブを有する、請求項10に記載の装置。
【請求項１２】
前記底部層の遠位端が接着剤を備える、請求項1から11のいずれか一項に記載の装置。
【請求項１３】
前記底部層の細長い中間部分が接着剤を備える、請求項1から12のいずれか一項に記載の装置。
【請求項１４】
前記底部層の前記遠位端が創傷被覆材に接着され、前記底部層内の前記開口が前記創傷被覆材内の開口部の上に位置付けられる、請求項1から13のいずれか一項に記載の装置。
【請求項１５】
前記スペーサ層の前記近位端と流体連通する前記導管に着脱可能に接続されるように構成された延長導管をさらに備える、請求項1から14のいずれか一項に記載の装置。
【請求項１６】
前記頂部層が前記底部層に接着されて、その中に前記スペーサ層を保持する細長いチャネルを形成する、請求項1から15のいずれか一項に記載の装置。
【請求項１７】
前記フィルタが、形状において前記スペーサ層の前記遠位端に対応する周辺部形状を有する、請求項1から16のいずれか一項に記載の装置。
【請求項１８】
前記スペーサ層の前記遠位端が円形形状を有する、請求項1から17のいずれか一項に記載の装置。
【請求項１９】
前記頂部層および前記底部層の前記遠位端が、形状において前記スペーサ層の拡張遠位端に類似した拡張遠位端を有する、請求項1から18のいずれか一項に記載の装置。
【請求項２０】
前記スペーサ層が略方形の断面寸法を有する、請求項1から19のいずれか一項に記載の装置。
【請求項２１】
前記スペーサ層が前記頂部層および前記底部層のうち少なくとも一方に接着される、請求項1から20のいずれか一項に記載の装置。
【請求項２２】
創傷被覆材と、吸引アダプタと、を備える創傷治療装置であって、
前記創傷被覆材は、
感圧接着剤を担持するように構成された創傷接触層と、
陰圧を創傷被覆材に加えるときに開放されたままであるように構成された第1の3D布地材料を含む透過層であって、前記創傷接触層の上にある透過層と、
創傷滲出液を吸収するための吸収性層であって、前記透過層を覆い、開口を備える吸収性層と、
前記吸収性層を覆い、オリフィスを備えるカバー層であって、水蒸気透過性であるカバー層と
を備えており、
前記吸引アダプタは、
前記吸引アダプタを前記創傷被覆材の前記カバー層に対して密封するための密封面であって、接着剤または溶接部を備える密封面と、
近位端と遠位端とを有するブリッジと、
を備えており、
前記密封面が、前記カバー層内の前記オリフィスの上に位置付けられ、
前記吸収性層内の前記開口が、前記吸引アダプタが前記透過層と流体連通することを可能にするように構成され、
前記ブリッジが、
陰圧源と流体連通する第1の流体通路であって、第2の3D布地材料を含む第1の流体通路と、
近位端と遠位端とを有すると共に、前記第1の流体通路を取り囲むように構成された少なくとも1つの可撓性フィルム層であって、前記遠位端が前記密封面の上面に接続される、可撓性フィルム層と
を備える、創傷治療装置。
【請求項２３】
創傷滲出液が前記ブリッジに入ることを実質的に防止するように構成されたフィルタと、
前記吸引アダプタが前記透過層と接触することを防止するように構成された1つまたは複数のスペーサ要素とをさらに備える、請求項22に記載の装置。
【請求項２４】
前記ブリッジが、前記第1の流体通路の上に位置付けられた第2の流体通路をさらに備え、前記少なくとも1つの可撓性フィルム層が、前記第1の流体通路および前記第2の流体通路を取り囲むように構成される、請求項22に記載の装置。
【請求項２５】
前記第2の流体通路が空気漏れに接続される、請求項24に記載の装置。
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
生理学的信号Ｓ（ｆ）のＭＲ干渉を減少する、磁気共鳴（ＭＲ）システムにおいて使用する回路において、
ＭＲＩスキャナにより生成された全ての干渉成分Ｎ（ｆ）及び生理学的信号Ｓ（ｆ）を含む第１の信号、並びに前記生理学的信号Ｓ（ｆ）及びエラー信号Ｅ（ｆ）を含む第２の信号を入力し、前記第２の信号Ｓ（ｆ）＋Ｅ（ｆ）を前記第１の信号Ｓ（ｆ）＋Ｎ（ｆ）と減算的に組み合わせ、差分信号Ｎ（ｆ）−Ｅ（ｆ）を生成する第１の加算／減算ノードと、
前記第１の加算／減算ノードからの前記差分信号Ｎ（ｆ）−Ｅ（ｆ）をフィルタリングするハイパスフィルタと、
前記第１の信号Ｓ（ｆ）＋Ｎ（ｆ）及び前記ハイパスフィルタからのフィルタリングされた信号Ｈ（ｆ）＊［Ｎ（ｆ）−Ｅ（ｆ）］を減算的に組み合わせ、前記第２の信号Ｓ（ｆ）＋Ｅ（ｆ）を生成する第２の加算／減算ノードと、
を有する回路。
【請求項２】
ローパスフィルタ、
スルーレート制限ユニット、及び
補間ユニット、
の少なくとも１つを含む、請求項１に記載の回路。
【請求項３】
前記第１の加算／減算ノード、前記第２の加算／減算ノード、及び前記ハイパスフィルタが、それぞれ演算増幅器を含む、請求項１及び２のいずれか一項に記載の回路。
【請求項４】
前記生理学的信号が、心電図（ＥＣＧ）信号を含む、請求項１ないし３のいずれか一項に記載の回路。
【請求項５】
前記第２の信号をデジタル信号に変換するアナログ・デジタル変換器、
を含む、請求項１ないし４のいずれか一項に記載の回路。
【請求項６】
前記ハイパスフィルタが、サレンキーフィルタを含む、請求項１ないし５のいずれか一項に記載の回路。
【請求項７】
前記無線周波数磁気共鳴干渉が、傾斜パルス干渉を含む、請求項１ないし６のいずれか一項に記載の回路。
【請求項８】
少なくとも１つの電極と、
それぞれ電極に接続された少なくとも１つのワイヤと、
前記磁気共鳴干渉Ｎ（ｆ）を除去するように前記少なくとも１つのワイヤに接続された請求項１ないし７のいずれか一項に記載の回路と、
を有する心電図システム。
【請求項９】
前記少なくとも１つのワイヤの各々が、別の回路に接続される、請求項８に記載のシステム。
【請求項１０】
減少された磁気共鳴干渉を持つ生理学的信号Ｓ（ｆ）を受け取る少なくとも１つの患者モニタ、
を含む、請求項８及び９のいずれか一項に記載のシステム。
【請求項１１】
生理学的信号Ｓ（ｆ）のＭＲ干渉を減少する、ＭＲシステムにおいて使用する方法において、
ＭＲＩスキャナにより生成された全ての干渉成分Ｎ（ｆ）及び生理学的信号Ｓ（ｆ）を含む第１の信号を入力するステップと、
前記生理学的信号Ｓ（ｆ）及びエラー信号Ｅ（ｆ）を含む第２の信号Ｓ（ｆ）＋Ｅ（ｆ）を前記第１の信号Ｓ（ｆ）＋Ｎ（ｆ）から減算的に組み合わせ、差分信号Ｎ（ｆ）−Ｅ（ｆ）を生成するステップと、
ハイパスフィルタを使用して前記差分信号をフィルタリングするステップと、
前記第１の信号Ｓ（ｆ）＋Ｎ（ｆ）及び前記ハイパスフィルタからのフィルタリングされた信号Ｈ（ｆ）＊［Ｎ（ｆ）−Ｅ（ｆ）］を減算的に組み合わせ、前記第２の信号Ｓ（ｆ）＋Ｅ（ｆ）を生成するステップと、
を有する方法。
【請求項１２】
ローパスフィルタを使用して前記第２の信号をフィルタリングするステップ、
を含む、請求項１１に記載の方法。
【請求項１３】
前記第１の信号が、生理学的信号を含む、請求項１１及び１２のいずれか一項に記載の方法。
【請求項１４】
前記第２の信号をアナログ波形からデジタル波形に変換するステップ、
を含む、請求項１１ないし１３のいずれか一項に記載の方法。
【請求項１５】
前記方法が、複数の心電図（ＥＣＧ）電極リードの各々に対して実行される、請求項１１ないし１４のいずれか一項に記載の方法。
【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
被験者の吸気／呼気のためのシステムであって、前記システムは、
被験者の気道への送出用の呼吸用ガスの加圧フローを生成する圧力発生器と、
被験者の気道に前記呼吸用ガスの加圧フローを導く被験者インタフェースと、
ガスパラメータ及び／又は呼吸パラメータの一方又は両方を含む１以上のパラメータに関する情報を伝達する１以上の出力信号を生成する１以上のセンサと、
コンピュータプログラムモジュールを実行する１以上のプロセッサと、
を有し、前記コンピュータプログラムモジュールは、
被験者に吸気／呼気を提供するために前記圧力発生器を制御する制御モジュールと、
前記吸気／呼気の間に、前記１以上の出力信号に基づいて最大呼気フローパラメータを決定するパラメータ決定モジュールと、
を有する、システム。
【請求項２】
情報を表示する電子ディスプレイと、
表示された前記情報が前記最大呼気フローパラメータに基づくように、前記電子ディスプレイを制御するインタフェースモジュールと、
を更に有する、請求項１に記載のシステム。
【請求項３】
前記最大呼気フローパラメータの前記決定は、前記１以上のセンサと被験者の気道との間に配置された前記被験者インタフェースの一部の補償を含む、請求項１に記載のシステム。
【請求項４】
前記パラメータ決定モジュールは、更に吸気１回換気量を決定し、前記表示された情報は、更に前記吸気１回換気量に基づく、請求項２に記載のシステム。
【請求項５】
情報を電子的に格納する電子記憶媒体を有する電子記憶装置と、
前記電子記憶装置に格納される情報を、前記１以上の生成された出力信号に基づいて、格納するメトリック記憶モジュールと、
を更に有する、請求項１に記載のシステム。
【請求項６】
被験者の吸気／呼気の間に最大呼気フローパラメータを決定するための方法であって、前記方法は、
被験者の気道への送出用の呼吸用ガスの加圧フローを生成するステップと、
被験者の気道に呼吸用ガスの加圧フローを導くステップと、
ガスパラメータ及び／又は呼吸パラメータの一方又は両方を含む１以上のパラメータに関する情報を伝達する１以上のセンサによって１以上の出力信号を生成するステップと、
被験者に吸気／呼気を提供するために、前記呼吸用ガスの加圧フローを制御するステップと、
前記吸気／呼気の間に、前記１以上の出力信号に基づいて最大呼気フローパラメータを決定するステップと、
を有する、方法。
【請求項７】
ディスプレイに情報を表示するステップを更に含み、前記表示された情報は、前記最大呼気フローパラメータに基づく、請求項６に記載の方法。
【請求項８】
前記最大呼気フローパラメータを決定するステップは、前記１以上のセンサと被験者の気道との間に使用される導管の長さを補償するステップを含む、請求項６に記載の方法。
【請求項９】
吸気１回換気量を決定するステップを更に含み、前記表示された情報は、更に前記吸気１回換気量に基づく、請求項７に記載の方法。
【請求項１０】
前記１以上の生成された出力信号に基づいて情報を格納するステップを更に有する、請求項６に記載の方法。
【請求項１１】
被験者の吸気／呼気のためのシステムであって、前記システムは、
被験者の気道への送出用の呼吸用ガスの加圧フローを生成する圧力手段と、
被験者の気道に呼吸用ガスの加圧フローを導く手段と、
ガスパラメータ及び／又は呼吸パラメータの一方又は両方を含む１以上のパラメータに関する情報を伝達する１以上の出力信号を生成するセンサ手段と、
被験者に吸気／呼気を提供するために前記圧力手段を制御するための制御手段と、
前記吸気／呼気の間に、前記１以上の出力信号に基づいて最大呼気フローパラメータを決定する手段と、
を有する、システム。
【請求項１２】
ディスプレイに情報を表示する手段を更に含み、表示された前記情報は、前記最大呼気フローパラメータに基づく、請求項１１に記載のシステム。
【請求項１３】
前記最大呼気フローパラメータを決定する手段の処理は、前記センサ手段と被験者の気道との間に使用される導管の長さの補償を含む、請求項１１に記載のシステム。
【請求項１４】
吸気１回換気量を決定するための手段を更に含み、前記表示された情報は、更に前記吸気１回換気量に基づく、請求項１２に記載のシステム。
【請求項１５】
前記１以上の生成された出力信号に基づいて情報を格納するための手段を更に有する、請求項１１に記載のシステム。
【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
ユーザ仕様を満たす、又は超える１又は２以上の特徴を有する生成物の産生のためのプロセスであって、
（ｉ）（Ａ）生成物が有することが望ましい１又は２以上の特徴である、ユーザ仕様と、
（Ｂ）反応空間と流体連通している一連の化学的入力を備え、１又は２以上の物理的入力を備えてもよい、フロー化学システムであって、前記物理的入力が、前記化学的入力の１若しくは２以上に送達可能であり、及び／又は前記反応空間に送達可能である、フロー化学システムと、
（Ｃ）前記フロー化学システムとのインタラクションのために構成された分析システムであって、生成物の１又は２以上の特徴の測定のための分析システムと、
（Ｄ）前記反応空間への化学的及び物理的入力の送達を制御するように、並びに前記分析システムにより測定された１又は２以上の特徴を、前記ユーザ仕様と比較するように構成された制御システムであって、化学的及び物理的入力の組合せを選択するための遺伝的アルゴリズムを備える制御システムと
を提供するステップと、
（ii）化学的入力の第１の組合せを、任意選択で物理的入力と共に選択し、それらの入力を前記反応空間に供給して、それにより第１の生成物を産生するステップと、
（iii）産生された前記生成物の１又は２以上の特徴を分析するステップと、
（iv）前記１又は２以上の特徴を、前記ユーザ仕様と比較するステップと、
（ｖ）化学的入力の第２の組合せであって、前記第１の組合せとは異なる第２の組合せを、任意選択で物理的入力と共に前記遺伝的アルゴリズムに選択させ、それらの入力を前記反応空間に供給して、それにより第２の生成物を産生するステップと、
（vi）産生された前記第２の生成物の１又は２以上の特徴を分析するステップと、
（vii）産生された前記１又は２以上の特徴を、前記ユーザ仕様と比較するステップと、
（viii）化学的及び／又は物理的入力のさらなる個々の組合せであって、それぞれのさらなる組合せが、前記遺伝的アルゴリズムにより選択されるさらなる個々の組合せのために、ステップ（ｖ）から（vii）を反復し、生成物のアレイを提供するステップと
を含み、前記フロー化学システムが、連続的に動作して、前記第１、第２及びさらなる生成物を提供し、
それにより、前記ユーザ仕様を満たす、又は超える１又は２以上の生成物を特定するプロセス。
【請求項２】
（ix）ユーザ仕様を満たす、又は超えるさらなる量の生成物を生成するステップをさらに含む、請求項１に記載のプロセス。
【請求項３】
遺伝的アルゴリズムが、化学的入力の第１の組合せを選択する、請求項１又は２に記載のプロセス。
【請求項４】
化学的及び物理的入力が、組合せとしての選択に利用可能である、請求項１〜３のいずれかに記載のプロセス。
【請求項５】
化学的入力の数が、５又は６以上である、請求項１〜４のいずれかに記載のプロセス。
【請求項６】
物理的入力が、反応時間、化学的入力の濃度、及び化学的入力の比を含む、請求項４又は５に記載のプロセス。
【請求項７】
測定する特徴が、生成物の物理的特性である、請求項１〜６のいずれかに記載のプロセス。
【請求項８】
物理的特性が、
光学的特性、
質量特性、
電気化学的特性、及び
レオロジー特性
からなる群から選択される、請求項７に記載のプロセス。
【請求項９】
物理的特性が、光学的特性である、請求項７に記載のプロセス。
【請求項１０】
生成物が、ポリオキソメタレート、配位クラスタ、ナノ粒子、単分子磁石、量子ドット、染料、電子材料、医薬組成物、パーソナルヘルスケア製品、及び生物活性薬剤からなる群から選択され、ポリマー又は有機分子をさらに含んでもよい、請求項１〜９のいずれかに記載のプロセス。
【請求項１１】
生成物が、ポリオキソメタレートである、請求項１０に記載のプロセス。
【請求項１２】
アルゴリズムが、進化的アルゴリズムである、請求項１〜１１のいずれかに記載のプロセス。
【請求項１３】
進化的アルゴリズムが、Nelder-Meadアルゴリズムである、請求項１２に記載のプロセス。
【請求項１４】
生成物を生成する方法を産生するためのプロセスであって、前記方法が、ユーザ仕様を満たす、又は超える１又は２以上のパラメータを有し、前記プロセスが、
（ｉ）（Ａ）前記方法が有することが望ましい１又は２以上の特徴である、ユーザ仕様と、
（Ｂ）反応空間と流体連通している一連の化学的入力を備え、１又は２以上の物理的入力を備えてもよい、フロー化学システムであって、前記物理的入力が、前記化学的入力の１若しくは２以上に送達可能であり、及び／又は前記反応空間に送達可能である、フロー化学システムと、
（Ｃ）前記フロー化学システムとのインタラクションのために構成された分析システムであって、前記方法又は前記生成物の１又は２以上の特徴の測定のための分析システムと、
（Ｄ）前記反応空間への化学的及び物理的入力の送達を制御するように、並びに前記分析システムにより測定された１又は２以上の特徴を、前記ユーザ仕様と比較するように構成された制御システムであって、化学的及び物理的入力の組合せを選択するための遺伝的アルゴリズムを備える制御システムと
を提供するステップと、
（ii）化学的及び物理的入力の第１の組合せを選択し、それらの入力を反応空間に供給して、それにより生成物を生成する第１の方法を産生するステップと、
（iii）産生された前記方法及び／又は前記生成物の１又は２以上の特徴を分析するステップと、
（iv）前記１又は２以上の特徴を、前記ユーザ仕様と比較するステップと、
（ｖ）化学的及び／又は物理的入力の第２の組合せであって、前記第１の組合せとは異なる第２の組合せを、前記遺伝的アルゴリズムに選択させ、それらの入力を前記反応空間に供給して、それにより生成物を生成する方法を産生するステップと、
（vi）産生された前記方法及び／又は前記生成物の１又は２以上の特徴を分析するステップと、
（ix）産生された前記１又は２以上の特徴を、前記ユーザ仕様と比較するステップと、
（ｘ）任意選択で、化学的及び／又は物理的入力のさらなる個々の組合せのために、ステップ（ｖ）から（vii）を反復するステップと
を含み、それにより、前記ユーザ仕様を満たす、又は超える１又は２以上の方法を特定するプロセス。
【手続補正書】
【提出日】平成28年5月6日(2016.5.6)
【手続補正１】
【補正対象書類名】特許請求の範囲
【補正対象項目名】全文
【補正方法】変更
【補正の内容】
【特許請求の範囲】
【請求項１】
ガス相排出流から少なくとも１つの汚染物を減少させるか、または除去する方法であって、前記方法が、
（ａ）少なくとも１つの汚染物を含むガス相排出流を提供することと、
（ｂ）前記ガス相排出流を、添加物および生物起源の活性炭組成物を含む活性炭粒子と接触させて、汚染物吸着粒子を発生させることと、
（ｃ）前記ガス相排出流から前記汚染物吸着粒子の少なくとも一部を分離して、汚染物が減少したガス相排出流を生成することと、を含む、方法。
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
ウォールフロー型フィルターの形である基材と前記基材の上に配されている触媒を含み、
前記触媒は担体とバナジン酸塩成分を含み、該バナジン酸塩成分は次式： 
（ＡＸ）（ＴＹ）（ＲＺ）ＶＯ４
（式中、「Ａ」はアルカリ土類金属であり、「Ｘ」はバナジン酸塩に対するアルカリ土類金属のモル比であり；
「Ｔ」は遷移金属であり、「Ｙ」はバナジン酸塩に対する遷移金属のモル比であり；
「Ｒ」が希土類金属であり、「Ｚ」がバナジン酸塩に対する希土類金属のモル比であり；
そして、
０≦Ｘ≦１；０≦Ｙ≦１；０≦Ｚ≦１；及びＸ＋Ｙ＋Ｚ＝１である）によって定義される構造を有し；
前記バナジン酸塩成分は前記担体上に担持されている、フィルター。
【請求項２】
「Ａ」がＭｇ、Ｃａ、Ｓｒ、及びＢａからなる群から選択される、請求項１に記載のフィルター。
【請求項３】
「Ｔ」がＦｅ、Ｂｉ、Ａｌ、Ｇａ、Ｉｎ、Ｃｕ、Ｚｎ、Ｍｏ、Ｃｒ、Ｓｂ及びＭｎからなる群から選択される、請求項１に記載のフィルター。
【請求項４】
「Ｔ」がＦｅである、請求項１に記載のフィルター。
【請求項５】
「Ｒ」がＥｒである、請求項１に記載のフィルター。
【請求項６】
「Ｚ」が０である、請求項１に記載のフィルター。
【請求項７】
前記担体がＴｉＯ２、ＷＯ３及びＳｉＯ２の少なくとも一つからなる群から選択される材料を含む、請求項１に記載のフィルター。
【請求項８】
前記基材が入口部と出口部を有し、前記基材が複数の入口チャンネルと複数の出口チャンネルを含む、請求項１に記載のフィルター。
【請求項９】
前記触媒は前記複数の入口チャンネルの表面上には配されていない、請求項８に記載のフィルター。
【請求項１０】
前記触媒が前記基材の出口部で前記複数の入口チャンネルと前記複数の出口チャンネルに配されている、請求項８に記載のフィルター。
【請求項１１】
前記触媒が膜の形で前記複数の入口チャンネルの表面に配されている、請求項８に記載のフィルター。
【請求項１２】
前記基材の入口部に配された尿素加水分解触媒を更に具備する、請求項８に記載のフィルター。
【請求項１３】
前記基材の出口部に配されたアンモニア酸化触媒を更に具備する、請求項８に記載のフィルター。
【請求項１４】
エンジンからの排気ガスを処理するための排気システムにおいて、
ａ．エンジンの下流に配された請求項１に記載のフィルター；
ｂ．前記フィルターの上流のアンモニア又は尿素の供給源；及び
ｃ．エンジンからの排気ガスを前記フィルターに導くための排気ガス導管
を具備する、排気システム。
【誤訳訂正書】
【提出日】平成28年4月28日(2016.4.28)
【誤訳訂正１】
【訂正対象書類名】特許請求の範囲
【訂正対象項目名】全文
【訂正方法】変更
【訂正の内容】
【特許請求の範囲】
【請求項１】
中心軸（Ｘ）を中心とする内周壁（２２）、流体入口（１４）、濾過済み流体出口（１６）、流出液出口（１８）、プロセス流体出口（２０）、渦流れバリア（３４）により分離された渦チャンバー（２４）および流出液分離チャンバー（３０）を含むタンク（１２）であって、前記流出液出口（１８）およびプロセス流体出口（２０）が、前記流出液分離チャンバー（３０）内に位置する、タンク（１２）；
前記渦チャンバー（２４）内に位置し、中心軸（Ｘ）の周囲に対称的に位置する外膜表面（４４）を含み、かつ前記濾過済み流体出口（１６）と流体連通する濾液チャンバー（４６）を取り囲む、フィルタアセンブリ（２６）；
前記膜表面（４４）の周囲に同心円状に位置し、かつ前記膜表面（４４）と回転可能に係合する、クリーニングアセンブリ（５０）；
前記流体入口（１４）から延び、前記渦チャンバー（２４）の内周壁（２２）と前記膜表面（４４）との間の渦領域（２５）を画定し、流入液を受容するよう適合された、流体通路（２８）；
前記フィルタアセンブリ（２６）の周囲に同心円状に位置するクリーニングアセンブリ（５０）上に設置され、前記流体入口（１４）から前記渦チャンバー（２４）に流入する流体の少なくとも一部が前記膜表面（４４）に衝撃を与えることを妨げるように適合された、入口流れシールド（５８）；を含み、
前記渦流れバリア（３４）が、前記渦領域（２５）から前記流出液分離チャンバー（３０）への流体流れを乱す、
ハイドロクロン（１０）。
【請求項２】
前記入口流れシールド（５８）が、非多孔性の円筒状の帯を含む、請求項１に記載のハイドロクロン（１０）。
【請求項３】
前記渦流れバリア（３４）が、前記渦チャンバーおよび前記流出液分離チャンバー（２４、３０）間の流体流れの大部分を、前記タンク（１２）の前記内周壁（２２）と隣接する位置に誘導する、請求項１に記載のハイドロクロン（１０）。
【手続補正書】
【提出日】平成28年4月25日(2016.4.25)
【手続補正１】
【補正対象書類名】明細書
【補正対象項目名】０１０２
【補正方法】変更
【補正の内容】
【０１０２】
本開示は、上記の実施形態に限定されないが、以下の請求項及び全てのその等価物に詳述する制限によって規制される。本開示は、本明細書に具体的にに開示されていない要素を欠いても適宜実施され得る。本発明の実施態様の一部を以下の項目［１］−［１５］に記載する。
[１]
機械的ファスナの製造方法であって、
機械的締結要素と機械方向の長さとを有するスリット付きウェブを提供することと、ここで、前記スリット付きウェブが、前記ウェブの完全ブリッジ領域によって中断される複数の横方向に離間した断続スリットを含み、前記断続スリットが、機械横方向に対して非平行である第１の方向に延在し、少なくともいくつかの隣接する断続スリットに関し、前記完全ブリッジ領域が前記第１の方向に対して横向きの方向にずらして配置される、
前記スリット付きウェブに前記機械方向に張力を加えることと、
前記スリット付きウェブを冠面の上で移動させることによって前記スリット付きウェブを機械横方向に伸展させて、伸展された機械的締結ウェブを提供することと、ここで、前記伸展された機械的締結ウェブが、前記完全ブリッジ領域の少なくともいくつかにおいて互いに接続され、かつ前記完全ブリッジ領域の少なくともいくつかの間で互いに分離されたスリット付きウェブの複数のストランドを含み、
前記冠面の少なくとも一部が空気ベアリングであるか、又は
前記冠面の少なくとも一部が低摩擦面であり、前記冠面と前記スリット付きウェブとが同一方向に同一速度で移動しない、を含む方法。
[２]
前記冠面が回転しない、項目１に記載の方法。
[３]
前記冠面の少なくとも一部が低摩擦面であり、前記低摩擦の冠面が、滑らかな若しくは研磨した金属、又は滑らかなプラスチックから製造される、項目１に記載の方法。
[４]
前記冠面の少なくとも一部が低摩擦面であり、前記冠面が低摩擦コーティングを有する、項目１に記載の方法。
[５]
前記冠面が、その頂き部に少なくとも１つの隆起部を備えている、項目１に記載の方法。
[６]
前記機械的締結要素が雄型締結要素であり、前記雄型締結要素が前記冠面に面するように前記スリット付きウェブが配置され、前記少なくとも１つの隆起部が、前記雄型締結要素の間に挟置される案内隆起部である、項目５に記載の方法。
[７]
前記冠面が、前記冠面が前記スリット付きウェブと最初に接触する点における前記冠面の曲率が、前記冠面が前記伸展された機械的締結ウェブと最後に接触する点における曲率より小さくなるように変化する曲率を有する、項目１〜６のいずれか一項に記載の方法。
[８]
前記スリット付きウェブを前記冠面の上で移動させる前に、前記スリット付きウェブを高摩擦ローラの上で移動させることを更に含み、前記高摩擦ローラが、前記冠面の逆形状を有する表面を有する、項目１〜６のいずれか一項に記載の方法。
[９]
前記伸展された機械的締結ウェブを加熱することを更に含む、項目１〜６のいずれか一項に記載の方法。
[１０]
前記加熱することが、前記伸展された機械的締結ウェブを回転している加熱シリンダの上に方向付けることを含む、項目９に記載の方法。
[１１]
前記伸展された機械的締結ウェブを高摩擦ローラの上に方向付けることを更に含む、項目１〜６のいずれか一項に記載の方法。
[１２]
前記完全ブリッジ領域の少なくともいくつかにおいて互いに接続された前記スリット付きウェブの前記複数のストランドが、９０度未満の角度を形成する、項目１〜６のいずれか一項に記載の方法。
[１３]
前記スリット付きウェブを第２の冠面の上で移動させることによって、前記伸展された機械的締結ウェブを機械横方向に再度伸展させることを更に含む、項目１〜６のいずれか一項に記載の方法。
[１４]
前記伸展された機械的締結ウェブを支持材料に積層することを更に含む、項目１〜６のいずれか一項に記載の方法。
[１５]
前記支持材料が接着剤の層を備えており、前記伸展された機械的締結ウェブが前記接着剤で前記支持材料に結合されて積層体を形成し、前記接着剤が、前記積層体の中の前記複数のストランドの間に露出される、項目１４に記載の方法。
【手続補正２】
【補正対象書類名】特許請求の範囲
【補正対象項目名】全文
【補正方法】変更
【補正の内容】
【特許請求の範囲】
【請求項１】
機械的ファスナの製造方法であって、
機械的締結要素と機械方向の長さとを有するスリット付きウェブを提供することと、ここで、前記スリット付きウェブが、前記ウェブの完全ブリッジ領域によって中断される複数の横方向に離間した断続スリットを含み、前記断続スリットが、機械横方向に対して非平行である第１の方向に延在し、少なくともいくつかの隣接する断続スリットに関し、前記完全ブリッジ領域が前記第１の方向に対して横向きの方向にずらして配置される、
前記スリット付きウェブに前記機械方向に張力を加えることと、
前記スリット付きウェブを冠面の上で移動させることによって前記スリット付きウェブを機械横方向に伸展させて、伸展された機械的締結ウェブを提供することと、ここで、前記伸展された機械的締結ウェブが、前記完全ブリッジ領域の少なくともいくつかにおいて互いに接続され、かつ前記完全ブリッジ領域の少なくともいくつかの間で互いに分離されたスリット付きウェブの複数のストランドを含み、
前記冠面の少なくとも一部が空気ベアリングであるか、又は
前記冠面の少なくとも一部が低摩擦面であり、前記冠面と前記スリット付きウェブとが同一方向に同一速度で移動しない、を含む方法。
【請求項２】
前記冠面が回転しない、請求項１に記載の方法。
【請求項３】
前記冠面が、前記冠面が前記スリット付きウェブと最初に接触する点における前記冠面の曲率が、前記冠面が前記伸展された機械的締結ウェブと最後に接触する点における曲率より小さくなるように変化する曲率を有する、請求項１又は２に記載の方法。
【請求項４】
前記伸展された機械的締結ウェブを支持材料に積層することを更に含み、前記支持材料が接着剤の層を備えており、前記伸展された機械的締結ウェブが前記接着剤で前記支持材料に結合されて積層体を形成し、前記接着剤が、前記積層体の中の前記複数のストランドの間に露出される、請求項１〜３のいずれか一項に記載の方法。
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
カテーテル装置であって、
近位部及び遠位部を有する細長い管状のシャフトと、
前記細長いシャフトの前記遠位部に配置され、ヒトの患者の腎動脈内の目標位置に存在するように適合された治療組立体と
を備え、前記治療組立体が支持構造体を含み、前記支持構造体が、
事前成形される渦巻き形の形状を有し、内部に管腔を有する管状構造体であり、ニチノールマルチフィラー撚線からなる、制御部材と、
前記支持構造体に装備される複数のエネルギー送達要素と
を備え、前記細長い管状のシャフトと前記治療組立体が、医療用ガイドワイヤをスライド可能に受け入れるように構成されたガイドワイヤ管腔を一緒に内部に画定し、
前記治療組立体に対する前記ガイドワイヤの軸方向移動が、前記支持構造体を、（ａ）薄い外形の送達構成と（ｂ）前記制御部材の前記事前成形される渦巻き形の形状をとる傾向がある展開構成との間で変形させる、
カテーテル装置。
【請求項２】
前記ガイドワイヤの少なくとも遠位部が前記治療組立体の前記ガイドワイヤ管腔の中にとどまる状態で、前記治療組立体が前記薄い外形の送達構成と前記展開構成との間で変形させるように構成されている、請求項１に記載のカテーテル装置。
【請求項３】
前記支持構造体が、前記ガイドワイヤの最遠位先端部が前記治療組立体の遠位先端部と概して位置合わせされるときに前記治療組立体が前記展開構成に変形するように、前記ガイドワイヤの遠位領域によって提供されるまっすぐにする力を克服するのに十分な形状回復力を有する、請求項２に記載のカテーテル装置。
【請求項４】
前記ガイドワイヤが前記治療組立体の前記ガイドワイヤ管腔内にあるときに前記支持構造体が前記ガイドワイヤの遠位領域によって提供されるまっすぐにする力を克服するのに不十分な形状回復力を有し、
前記ガイドワイヤの最遠位部が前記ガイドワイヤ管腔を通して前記治療組立体の近位位置に引き出されるときに前記治療組立体が前記展開構成に変形するように構成される、請求項１に記載のカテーテル装置。
【請求項５】
前記治療組立体の遠位部が、前記ガイドワイヤのための開口部を提供し、前記展開構成において前記ガイドワイヤを前記腎動脈の壁から離れる方に誘導するように構成された可撓性の湾曲した先端部をさらに備える、請求項１に記載のカテーテル装置。
【請求項６】
前記可撓性の湾曲した先端部がポリエーテルブロックアミドコポリマーからなる、請求項５に記載のカテーテル装置。
【請求項７】
前記可撓性の湾曲した先端部が熱可塑性ポリエーテルウレタン材料からなる、請求項５に記載のカテーテル装置。
【請求項８】
前記可撓性の湾曲した先端部が前記熱可塑性ポリエーテルウレタン材料に約５〜３０重量パーセントのシロキサンが混合されたものからなる、請求項７に記載のカテーテル装置。
【請求項９】
前記展開構成において、前記支持構造体に装備される前記エネルギー送達要素が、前記腎動脈の縦軸に沿って互いから離間され、前記腎動脈の壁との位置関係を維持するように構成される、請求項１に記載のカテーテル装置。
【請求項１０】
前記エネルギー送達要素が一連のバンド電極を含む、請求項１に記載のカテーテル装置。
【請求項１１】
前記バンド電極のうちの少なくとも１つがテーパした端部を備え、前記テーパした端部が前記支持構造体の外面と前記少なくとも１つのバンド電極の外面との間に鈍角を提供するように構成されている、請求項１０に記載のカテーテル装置。
【請求項１２】
前記治療組立体が４つのエネルギー送達要素を備える、請求項１に記載のカテーテル装置。
【請求項１３】
前記薄い外形の送達構成の前記治療組立体の少なくとも長手方向の部分を取り囲む及び拘束する後退可能な装填ツールをさらに備えている、請求項１に記載のカテーテル装置。
【請求項１４】
前記装填ツールが丸みのある縁を有する遠位端部を備える、請求項１３に記載のカテーテル装置。
【請求項１５】
ヒトの患者を治療するための腎神経変調療法システムであって、
近位端及び遠位端を有する細長いシャフトであり、前記シャフトの前記遠位端が手技ガイドワイヤの上で前記患者の腎動脈に血管内で送達されるように構成された、細長いシャフトと、
前記細長いシャフトの前記遠位端に又はその近傍に配置される事前に形状設定される管状の螺旋構造体であり、非拡張構成と前記事前に形状設定される螺旋構造体の形状をとる傾向がある拡張構成との間で変形するように構成され、少なくとも部分的にニチノールマルチフィラー撚線からなる、螺旋構造体と、
前記螺旋構造体に関連する複数の電極と
を備え、
前記細長いシャフトと前記螺旋構造体が、一緒にガイドワイヤ管腔を内部に画定し、
前記ガイドワイヤ管腔が、前記螺旋構造体を前記患者の腎血管内の目標処置部位に配置するために、及び前記螺旋構造体を前記非拡張構成に拘束するために前記手技ガイドワイヤをスライド可能に受け入れるように構成され、
前記ガイドワイヤの遠位端部が少なくとも部分的に前記ガイドワイヤ管腔内にあるように前記手技ガイドワイヤを前記螺旋構造体に対して前記ガイドワイヤ管腔を通して近位に移動させることで前記螺旋構造体が前記拡張構成に変形する、
ことを特徴とするシステム。  
【請求項１６】
前記手技ガイドワイヤが、変化する可撓性を有する遠位部をそれに沿うように備え、さらに、前記螺旋構造体が前記拡張構成にあるときに、前記ガイドワイヤの少なくとも前記遠位部の領域が、前記螺旋構造体によって画定される前記ガイドワイヤ管腔の部分内にとどまるように構成される、請求項１５に記載のシステム。
【請求項１７】
前記螺旋構造体を覆う、且つ前記螺旋構造体と密接に接触する可撓性チューブをさらに備える、請求項１５に記載のシステム。
【請求項１８】
前記複数の電極が接着剤材料を用いて前記可撓性チューブに結合される、請求項１７に記載のシステム。
【請求項１９】
前記複数の電極が金からなる、請求項１５に記載のシステム。
【請求項２０】
前記複数の電極が、前記患者の外部のエネルギー源に個々に接続可能であり、前記エネルギー源が、治療中に各電極に送達されるエネルギーを個々に制御可能である、請求項１５に記載のシステム。
【誤訳訂正書】
【提出日】平成28年1月7日(2016.1.7)
【誤訳訂正１】
【訂正対象書類名】明細書
【訂正対象項目名】０００６
【訂正方法】変更
【訂正の内容】
【０００６】
第１の態様から考えて、通常細長い基材の側面に接合した多結晶の超硬質構造を含む構造物の製造方法であって；
前記方法は超高圧高温炉のための容器を提供することを含み、
前記容器は予備焼結アセンブリーを含むため、且つ縦軸を規定するための通常細長い空洞を有し、前記空洞は空洞壁により接続された反対側の端部を有し、
前記予備焼結アセンブリーは前記基材、前記基材側面の少なくとも一部に配列された多数の超硬質粒体を含む凝集物、及び前記基材を前記空洞壁から離して間隔を開けるために配置されたスペーサ構造を含み、
前記スペーサ構造は少なくとも約３００ＧＰａ又は少なくとも約５００ＧＰａのヤング率を有する材料を含むか又はそれから本質的に構成され、
前記方法は、前記基材が実質的に縦に整列し且つ前記スペーサ構造は前記基材側面及び前記空洞壁の間に配列された前記予備焼結アセンブリーを前記空洞中へ挿入すること、及び予備焼結アセンブリーへ力をかけてそれをある温度へ加熱して前記構造物を得ることを更に含み、
前記力は前記温度で前記凝集物を焼結するための圧力を容器内に発生させるために十分である、
方法が提供される。
【誤訳訂正２】
【訂正対象書類名】特許請求の範囲
【訂正対象項目名】全文
【訂正方法】変更
【訂正の内容】
【特許請求の範囲】
【請求項１】
細長い基材の側面に接合した多結晶の超硬質構造を含む構造物の製造方法であって、
前記方法は超高圧高温炉のために設計された容器を提供することを含み、
前記容器は予備焼結アセンブリーを含むため、且つ縦軸を規定するための細長い空洞を有し、前記空洞は空洞壁により接続された反対側の端部を有し、
前記予備焼結アセンブリーは前記基材、前記基材側面の少なくとも一部に配列された多数の超硬質粒体を含む凝集物、及び前記基材を前記空洞壁から離して間隔を開けるために配置されたスペーサ構造を含み、
前記スペーサ構造は少なくとも３００ＧＰａのヤング率を有する材料を含み、
前記方法は、前記基材が実質的に縦に整列し且つ前記スペーサ構造が前記基材側面及び前記空洞壁の間に配列された前記予備焼結アセンブリーを前記空洞中へ挿入すること、及び予備焼結アセンブリーへ力をかけてそれをある温度へ加熱して前記構造物を得ることを更に含み、
前記力は前記温度で前記凝集物を焼結するための圧力を容器内に発生させるために十分である、方法。
【請求項２】
スペーサ構造が基材の一体的な一部であるか、又は基材に接する、請求項１に記載の方法。
【請求項３】
中間構造が基材の少なくとも一部とスペーサ構造の少なくとも一部の間に存在する、請求項１または２に記載の方法。
【請求項４】
スペーサ構造が空洞壁に接する、請求項１〜３のいずれか一項に記載の方法。
【請求項５】
中間構造が、スペーサ構造の少なくとも一部と空洞壁の少なくとも一部との間に存在する、請求項１〜４のいずれか一項に記載の方法。
【請求項６】
スペーサ構造が、少なくとも１，０００℃の温度で少なくとも３００ＧＰａのヤング率を有する材料を含む、請求項１〜５のいずれか一項に記載の方法。
【請求項７】
スペーサ構造が、硬質金属、セラミック材料、ニッケル系超合金材料、又は超硬質材料を含む、請求項１〜６のいずれか一項に記載の方法。
【請求項８】
多結晶超硬質構造が、多結晶ダイヤモンド（ＰＣＤ）材料、多結晶立方窒化ホウ素（ＰＣＢＮ）材料、炭化ケイ素結合ダイヤモンド（ＳＣＤ）材料、又は超硬質粒体を含む合着された炭化物材料を含む、請求項１〜７のいずれか一項に記載の方法。
【請求項９】
凝集物が、超硬質粒体を含む複数のフィラメント、ホイル又はシートを含む、請求項１〜８のいずれか一項に記載の方法。
【請求項１０】
超硬質粒体を含む顆粒を提供すること、及び顆粒を基材に結合して圧縮することを含む、請求項１〜９のいずれか一項に記載の方法。
【請求項１１】
凝集物が、超硬質粒体を含む押出物体を含む、請求項１〜１０のいずれか一項に記載の方法。
【請求項１２】
凝集物が、基材の少なくとも一端からスペーサ構造により分離されている、請求項１〜１１のいずれか一項に記載の方法。
【請求項１３】
超硬質構造を加工して切削刃を提供することを含む、請求項１〜１２のいずれか一項に記載の方法。
【請求項１４】
構造物の端部を工具担体にろう付けすることを含む、請求項１〜１３のいずれか一項に記載の方法。
【請求項１５】
構造物に、工具担体に取り付けるための取り付け手段を提供することを含む、請求項１〜１４のいずれか一項に記載の方法。
【手続補正書】
【提出日】平成28年3月23日(2016.3.23)
【手続補正１】
【補正対象書類名】特許請求の範囲
【補正対象項目名】全文
【補正方法】変更
【補正の内容】
【特許請求の範囲】
【請求項１】
エネルギアブソーバシステムにおいて、
第１端部と、第２端部と、前記第１端部と前記第２端部との間の中間部分を有する第１ウェッビングストリップと、
第１端部と、第２端部と、前記第１端部と前記第２端部との間の中間部分を有する第２ウェッビングストリップと、
前記第１および第２のウェッビングストリップの前記中間部分を結合し、所望の引裂強度を有する前記第１および第２のウェッビングストリップの中央に位置する中間部を形成する複数の引裂糸であって、前記第１および第２のウェッビングストリップの前記中間部が、所望の引裂強度を有する前記第１および第２のストリップの前記中間部内、および、前記所望の引裂強度を有する前記第１および第２のウェッビングストリップの前記中間部の中央に位置する部分近傍に位置する、移行する引裂強度を有する少なくとも１つの引裂糸減少構成を含む、複数の引裂糸と、
前記第１ウェッビングストリップの前記第１端部および前記第２ウェッビングストリップの前記第２端部が結合する第１連結部材と、
前記第２ウェッビングストリップの前記第１端部および前記第１ウェッビングストリップの前記第２端部が結合する第２連結部材とを含み、落下事故の際に、前記第１および第２の連結部材が互いに引き離されるとき、前記第１および第２のウェッビングストリップの前記中間部を保持する前記引裂糸は、そこで前記第１および第２のストリップの前記中間部の両端から、ほぼ同時に引き裂かれ、前記第１および第２のウェッビングストリップが分離されるまでエネルギを吸収する、ことを特徴とするエネルギアブソーバシステム。
【請求項２】
請求項１に記載のエネルギアブソーバシステムにおいて、
ねじれを含む前記第１ウェッビングストリップをさらに備える、ことを特徴とするエネルギアブソーバシステム。
【請求項３】
請求項１に記載のエネルギアブソーバシステムにおいて、
コイル状に巻かれた、前記第１および第２のウェッビングストリップの前記中間部をさらに備える、ことを特徴とするエネルギアブソーバシステム。
【請求項４】
請求項１に記載のエネルギアブソーバシステムにおいて、
さらに、前記第１および第２のウェッビングストリップの前記中間部は、前記中間部の前記中央に位置する部分に位置する、引裂糸がない非付着部を含む、ことを特徴とするエネルギアブソーバシステム。
【請求項５】
請求項４に記載のエネルギアブソーバシステムにおいて、
前記第１および第２のウェッビングストリップの前記中間部の前記少なくとも１つの引裂糸減少構成は、それぞれ前記中央に位置する非付着部に続く移行引裂強度部分を生成する引裂糸構成を有する一対の減少部分を含む、ことを特徴とするエネルギアブソーバシステム。
【請求項６】
請求項１に記載のエネルギアブソーバシステムにおいて、
前記第１ウェッビングストリップの前記第１端部および前記第２ウェッビングストリップの前記第２端部を、前記第１連結部材に結合するように構成される第１ステッチ領域と、
前記第２ウェッビングストリップの前記第１端部および前記第１ウェッビングストリップの前記第２端部を、前記第２連結部材に結合するように構成される第２ステッチ領域と
をさらに備えることを特徴とするエネルギアブソーバシステム。
【請求項７】
請求項１に記載のエネルギアブソーバシステムにおいて、
第１連結開口と、前記第１連結部材の前記第１コネクタ開口を通過する前記第１ウェッビングストリップの前記第１端部および前記第２ウェッビングストリップの前記第２端部とを有する前記第１連結部材と、
第２連結開口と、前記第２連結部材の前記第２コネクタ開口を通過する前記第１ウェッビングストリップの前記第２端部および前記第２ウェッビングストリップの前記第１端部とを有する前記第２連結部材と
をさらに備えることを特徴とするエネルギアブソーバシステム。
【請求項８】
エネルギアブソーバにおいて、
第１ウェッビング第１端部と、反対側の第１ウェッビング第２端部とを有する第１ウェッビングストリップと、
第２ウェッビング第１端部と、反対側の第２ウェッビング第２端部とを有する第２ウェッビングストリップと、
前記第１ウェッビングストリップの前記第１ウェッビング第１端部が前記第２ウェッビングの前記第２ウェッビング第１端部近傍に位置し、前記第１ウェッビングの前記第１ウェッビング第２端部が前記第２ウェッビングの前記第２ウェッビング第２端部近傍に位置するようにして、前記第１ウェッビングストリップの中央部分を、前記第２ウェッビングストリップの中央部分に結合し、前記第１および第２のウェッビングストリップの中間部を形成する複数の引裂糸であって、前記第１および第２のウェッビングストリップの前記中間部は、引裂糸がない中央に位置する非付着部を有する、複数の引裂糸と、
前記第１ウェッビングストリップの前記第１ウェッビング第１端部および前記第２ウェッビングの前記第２ウェッビング第２端部を、第１コネクタに結合するように構成および配置される第１コネクタ部と、
前記第１ウェッビングストリップの前記第１ウェッビング第２端部および前記第２ウェッビングの前記第２ウェッビング第１端部を、第２コネクタに結合するように構成および配置される第２コネクタ部と
を備えることを特徴とするエネルギアブソーバ。
【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
眼において開放隅角緑内障（OAG）または高眼圧症（OH）を有する患者を治療するための薬剤送達システムであって、
95μgのユニット投与量のラタノプロストの徐放製剤を含み、前記ラタノプロストが処置期間に渡って涙管インプラントから治療上有効な用量において放出される、下涙点への挿入用の前期涙管インプラント、および
ラタノプロストを含まない、上涙点への挿入用のブランク涙管インプラント
を含む薬剤送達システム。
【請求項２】
眼において開放隅角緑内障（OAG）または高眼圧症（OH）を有する患者を、その眼における眼内圧（IOP）を低減させることによって治療するための薬剤送達システムであって、
95μgのユニット投与量のラタノプロストの徐放製剤を含む涙管インプラントを含み、
前記ラタノプロストは、少なくとも4週間の処置期間に渡って前記涙管インプラントから治療上有効な用量において放出され、IOPは、第4週においてベースラインから少なくとも4 mm Hg低減する、
薬剤送達システム。
【請求項３】
眼において開放隅角緑内障（OAG）または高眼圧症（OH）を有する患者を、その眼における眼内圧（IOP）を低減させることによって治療するための薬剤送達システムであって、
OAGまたはOHの治療用の治療剤の徐放製剤を含む涙管インプラントを含み、
治療前に前記患者のIOPを測定してベースラインIOPが得られ、少なくとも8週間に渡って前記治療剤が前記眼に持続的に放出され、IOPは、第8週においてベースラインから少なくとも4 mm Hg低減する、
薬剤送達システム。
【請求項４】
前記涙管インプラントが涙点プラグである、請求項1〜3のいずれか1項に記載の薬剤送達システム。
【請求項５】
前記涙管インプラントは、
第1軸を規定しその第1軸に第1末端を有する、第1部材；
第2軸を規定しその第2軸に第2末端を有する、第2部材；および、
前記第1部材の第1末端と前記第2部材の第2末端とを、第1角度にて接続して角度付き交差を形成する、第3部材
を含む、請求項1〜3のいずれか1項に記載の薬剤送達システム。
【請求項６】
前記涙管インプラントの第2部材が、治療剤を含む薬剤コアを挿入するための空洞をさらに含む、請求項5に記載の薬剤送達システム。
【請求項７】
前記涙管インプラントの第3部材は、第3軸および第2角度により特徴付けられる穿孔をさらに含み、前記第1角度は、前記第2軸に対する関係で前記第1軸によって規定され、前記第2角度は、前記第3軸に対する関係で前記第1軸によって規定され、前記穿孔は、インプラントの挿入を促進するための挿入ツールが入れるように構成される、請求項5または6に記載の薬剤送達システム。
【請求項８】
前記涙管インプラントは、前記インプラント全体に分散された治療剤をさらに含む、請求項5に記載の薬剤送達システム。
【請求項９】
前記涙管インプラントは、下涙点中で第12週における保持率が90%以上である、請求項1〜8のいずれか1項に記載の薬剤送達システム。
【請求項１０】
前記涙管インプラントは、上涙点中で第8週における保持率が85%以上である、請求項1〜8のいずれか1項に記載の薬剤送達システム。
【請求項１１】
前記涙管インプラントは、第1のインプラント、第2のインプラント、およびそれらの組合せから選択され前記治療剤の眼あたりのユニット投与量の構成を含む、請求項3に記載の薬剤送達システム。
【請求項１２】
前記治療剤がラタノプロストである、請求項3または11に記載の薬剤送達システム。
【請求項１３】
前記ユニット投与量は、1つの涙管インプラントの形態中にあり、95μgのラタノプロストを含む、請求項11に記載の薬剤送達システム。
【請求項１４】
前記ユニット投与量は、2つの涙管インプラントの形態中にあり、141μgの治療剤および190μgの治療剤のいずれかから選択される、請求項11に記載の薬剤送達システム。
【請求項１５】
前記ベースラインの眼内圧が21 mm Hgより高い、請求項2または3に記載の薬剤送達システム。
【請求項１６】
前記ベースラインの眼内圧が22 mm Hg〜33 mm Hgである、請求項2または3に記載の薬剤送達システム。
【請求項１７】
前記涙管インプラントは、前記眼の上涙点に挿入される、請求項2に記載の薬剤送達システム。
【請求項１８】
前記眼の下涙点への挿入用の、ラタノプロストを含まない第2の涙管インプラントをさらに含む、請求項17に記載の薬剤送達システム。
【請求項１９】
前記眼の下涙点は空であり涙管インプラントが挿入されない、請求項17に記載の薬剤送達システム。
【請求項２０】
前記第1のインプラントが46μgまたは95μgのラタノプロストを含む、請求項11に記載の薬剤送達システム。
【請求項２１】
前記第1のインプラントが95μgのラタノプロストを含み、前記第2のインプラントが95μgのラタノプロストを含む、請求項11に記載の薬剤送達システム。
【請求項２２】
前記第1のインプラントが46μgのラタノプロストを含み、前記第2のインプラントが95μgのラタノプロストを含む、請求項11に記載の薬剤送達システム。
【請求項２３】
前記薬剤の持続的放出が、前記第1の涙管インプラントおよび第2の涙管インプラントの移植後少なくとも12週間から選択される持続的期間に渡って前記眼の眼内圧をベースラインから少なくとも5 mm Hg減少させるために十分な治療剤の投与量を達成する、請求項11に記載の薬剤送達システム。
【請求項２４】
前記涙管インプラントが、プラスチック、ゴム、ポリマー、または複合材料を含む材料で作られている、請求項1〜23のいずれか1項に記載の薬剤送達システム。
【請求項２５】
前記涙管インプラントが、液状シリコーンゴム、または液状シリコーンゴムを含有する混合物を含む材料で作られている、請求項1〜23のいずれか1項に記載の薬剤送達システム。
【請求項２６】
前記涙管インプラントが、少なくとも部分的にシリコーンから製造されたものである、請求項1〜23のいずれか1項に記載の薬剤送達システム。
【請求項２７】
前記涙管インプラントが、緑色着色剤をさらに含む、請求項26に記載の薬剤送達システム。
【請求項２８】
前記涙管インプラントが、2%〜4%の6-4800を伴うNuSil 4840を含む材料で作られている、請求項1〜23のいずれか1項に記載の薬剤送達システム。
【請求項２９】
前記涙管インプラントは、第1部材、第2部材、および、少なくとも部分的にシリコーンで製造されたものであるヒール部を含む、請求項1〜23のいずれか1項に記載の薬剤送達システム。